(57)【要約】【課題】医用画像情報のネガあるいはポジの状態に応じてガンマ補正の補正曲線を切り替える医用画像ゲートウェイ装置およびプログラムを実現すること。【解決手段】ゲートウェイ１００は、Ｘ線ＣＴ装置１１０から画像情報とともにこの画像情報のネガあるいポジの属性情報を取得し、切換手段２３０において、ネガあるいはポジに応じて、ネガの場合には、ＬＵＴの補正曲線を反転してからガンマ補正を行い、ポジの場合には、ＬＵＴの補正曲線をそのまま用いてガンマ補正することとしているので、イメージャ１３０で出力される画像情報が、ネガあるいはポジのどちらの場合でも常に適正な補正曲線とすることを、少ない記憶容量の補正曲線部２５０により、実行することができ、ひいては、イメージャ１３０側で出力画像情報のネガあるいはポジの反転を行う際にも、適正な補正曲線とすることを実現する。【選択図】      図１
2004180968.tif 000002
【特許請求の範囲】
【請求項１】
医用画像装置から画像情報を取得し、前記画像情報にガンマ補正を行った後にイメージャへ出力する医用画像ゲートウェイ装置であって、
前記医用画像装置から前記画像情報のネガあるいはポジ情報を取得する取得手段と、
前記ネガあるいはポジ情報に基づいて、前記ガンマ補正の補正曲線を切り替える切替手段を備えることを特徴とする医用画像ゲートウェイ装置。
【請求項２】
前記取得手段は、複数の前記画像情報を前記イメージャの１つのページに出力する際に、前記画像情報ごとの前記ネガあるいはポジ情報を取得することを特徴とする請求項１に記載の医用画像ゲートウェイ装置。
【請求項３】
前記切換手段は、複数の前記画像情報を前記イメージャの１つのページに出力する際に、前記画像情報ごとに前記ネガあるいはポジ情報に基づいた切り替えを行うことを特徴とする請求項２に記載の医用画像ゲートウェイ装置。
【請求項４】
前記切換手段は、前記補正曲線情報が前記ネガあるいはポジ情報に対応する１つの補正曲線のみを有する際に、前記ネガあるいはポジ情報に対応するポジあるいはネガ情報の補正曲線を算出する算出手段を備えることを特徴とする請求項１ないし３のいずれか１つに記載の医用画像ゲートウェイ装置。
【請求項５】
医用画像ゲートウェイ装置のコンピュータを、
医用画像装置から転送される画像情報のネガあるいはポジ情報を取得する取得手段、
前記ネガあるいはポジ情報に基づいて前記画像情報のガンマ補正を行う際に、前記ガンマ補正の補正曲線を切り替える切替手段、
として機能させるためのプログラム。
【発明の詳細な説明】
【０００１】
【発明の属する技術分野】
この発明は、ガンマ補正を医用画像情報に施す医用画像ゲートウェイ装置およびプログラムに関する。
【０００２】
【従来の技術】
ディジタル化された画像情報に対しても、画像出力機器の輝度あるいは濃淡特性を補正するガンマ補正が行われる。ここで、画像情報には、画素値の最大値と最小値の間で反転関係にあるネガおよびポジの状態が存在する。このガンマ補正では、画素値が反転関係にあるので、ネガあるいはポジの画像情報に対して、異なる補正曲線が用い、使い分けを行うことが好ましい。さらに、ポジの補正曲線から、ネガの補正曲線を算出することも行われる（例えば、特許文献１参照）。
【０００３】
一方、医療施設においては、医用画像装置の普及により、複数の医用画像装置からの医用画像情報が、医用ゲートウェイ装置を介してイメージャに送信される。医用ゲートウェイ装置は、医用画像情報のガンマ補正およびフォーマットの変換等を行い、その後、医用画像情報をイメージャに出力する。イメージャでは、医用ゲートウェイ装置からの医用画像情報を、プリント出力あるいは表示する。
これにより、イメージャを共有とし、機器の節約と共に、設置スペースの軽減を計ることが出来る。
【０００４】
【特許文献１】
特開平８―７９５２８号公報  （第３〜４頁、第２図）
【０００５】
【発明が解決しようとする課題】
しかしながら、上記従来技術によれば、医用画像情報のネガあるいはポジの状態に対応した適正な補正曲線が用いられないことがあった。すなわち、オペレータは、医用ゲートウェイ装置に、出力イメージャのガンマ補正曲線の設定を行う。しかし、医用画像装置は、製造業者あるいは製造年代により医用画像情報のネガあるいはポジの出力仕様が異なる場合があり、さらに、出力イメージャ側でもネガあるいはポジを反転させて出力させる場合があるので、オペレータが、適正な補正曲線を選択することには困難が伴っている。
【０００６】
特に、ビデオ信号出力で、複数の画像情報を、一枚のページ上にコマ取りする際に、画像情報ごとにネガおよびポジの状態が異なる場合がある。この場合には、ガンマ補正の補正曲線が、本来ネガおよびポジで異なるにもかかわらず、同一の補正曲線を用いることになり、ネガあるいはポジのいずれか一方で補正曲線が反転し、最適なプリント出力あるいは表示が得られないという問題が生じた。
【０００７】
これらのことから、医用画像情報のネガあるいはポジの状態に応じてガンマ補正の補正曲線を切り替える医用画像ゲートウェイ装置およびプログラムをいかに実現するかが重要となる。
【０００８】
この発明は、上述した従来技術による課題を解決するためになされたものであり、医用画像情報のネガあるいはポジの状態に応じてガンマ補正の補正曲線を切り替える医用画像ゲートウェイ装置およびプログラムを提供することを目的とする。
【０００９】
【課題を解決するための手段】
上述した課題を解決し、目的を達成するために、請求項１に記載の発明にかかる医用画像ゲートウェイ装置は、医用画像装置から画像情報を取得し、前記画像情報にガンマ補正を行った後にイメージャへ出力する医用画像ゲートウェイ装置であって、前記医用画像装置から前記画像情報のネガあるいはポジ情報を取得する取得手段と、前記ネガあるいはポジ情報に基づいて、前記ガンマ補正の補正曲線を切り替える切換手段を備えることを特徴とする医用画像ゲートウェイ装置。
【００１０】
この請求項１に記載の発明よれば、取得手段により、医用画像装置から画像情報のネガあるいはポジ情報を取得し、このネガあるいはポジ情報に基づいて、切換手段により、ガンマ補正の補正曲線を切り替えることとしているので、医用画像情報のネガあるいはポジの状態に応じて、オペレータを介さず、ネガあるいはポジに最適な補正曲線とすることができ、ひいてはイメージャ側でネガあるいはポジの出力切り替えを行っても適正な補正曲線とすることが出来る。
【００１１】
また、請求項２に記載の発明にかかる医用画像ゲートウェイ装置は、前記取得手段が、複数の前記画像情報を前記イメージャの１つのページに出力する際に、前記画像情報ごとの前記ネガあるいはポジ情報を取得することを特徴とする。
【００１２】
この請求項２に記載の発明によれば、複数の画像情報をイメージャの１つのページに出力する際に、取得手段により、画像情報ごとの前記ネガあるいはポジ情報を取得することとしているので、画像情報ごとのネガあるいはポジの状態に応じて補正曲線を異なるものとすることができる。
【００１３】
また、請求項３に記載の発明にかかる医用画像ゲートウェイ装置は、前記切換手段が、複数の前記画像情報を前記イメージャの１つのページに出力する際に、前記画像情報ごとに前記ネガあるいはポジ情報に基づいた切り替えを行うことを特徴とする。
【００１４】
この請求項３に記載の発明によれば、複数の画像情報をイメージャの１つのページに出力する際に、切換手段により、画像情報ごとにネガあるいはポジ情報に基づいた切り替えを行うこととしているので、画像情報のネガあるいはポジの状態に応じて最適な補正曲線とすることができる。
【００１５】
また、請求項４に記載の発明にかかる医用画像ゲートウェイ装置は、前記切換手段が、前記補正曲線情報として、前記ネガあるいはポジ情報に対応する１つの補正曲線のみを有する際に、前記ネガあるいはポジ情報に対応するポジあるいはネガ情報の補正曲線を算出する算出手段を備えることを特徴とする。
【００１６】
この請求項４に記載の発明によれば、切換手段は、補正曲線情報が、ネガあるいはポジ情報に対応する１つの補正曲線のみの際に、算出手段により、ネガあるいはポジ情報に対応するポジあるいはネガ情報の補正曲線を算出することとしているので、１つの補正曲線を保持するだけで、ネガあるいはポジの両状態で画像情報に最適なガンマ補正を行うことができ、ひいては、補正曲線情報を少なくして記憶領域を小さなものとすることができる。
【００１７】
また、請求項５に記載の発明にかかる医用画像ゲートウェイプログラムは、医用画像ゲートウェイ装置のコンピュータを、医用画像装置から転送される画像情報のネガあるいはポジ情報を取得する取得手段、前記ネガあるいはポジ情報に基づいて前記画像情報のガンマ補正を行う際に、前記ガンマ補正の補正曲線を切り替える切替手段、として機能させることを特徴とする。
【００１８】
この請求項５に記載の発明によれば、医用画像ゲートウェイ装置のコンピュータを、取得手段により、医用画像装置から転送される画像情報のネガあるいはポジ情報を取得し、前記ネガあるいはポジ情報に基づいて前記画像情報のガンマ補正を行う際に、切替手段により、前記ガンマ補正の補正曲線を切り替えることとしているので、医用画像情報のネガあるいはポジの状態に応じて、オペレータを介さず、ネガあるいはポジに最適な補正曲線とすることができ、ひいてはイメージャ側でネガあるいはポジの出力切り替えを行っても適正な補正曲線とすることが出来る。
【００１９】
【発明の実施の形態】
以下に添付図面を参照して、この発明にかかる医用画像ゲートウェイ装置の好適な実施の形態について説明する。なお、これにより本発明が限定されるものではない。
【００２０】
まず、本実施の形態にかかる医用画像ゲートウェイ装置を含むシステムの全体構成の一例について説明する。図２は、本実施の形態にかかるシステムを示す図である。本システムは、Ｘ線ＣＴ装置１１０、アンギオ装置１４０、イメージャ１３０、端末１７０、ゲートウェイ１００、１２０および１５０、並びにＬＡＮ（Ｌｏｃａｌ  Ａｒｅａ  Ｎｅｔｗｏｒｋ）１６０等を含む。
【００２１】
Ｘ線ＣＴ装置１１０は、被検体の断層撮影を行い、取得した画像情報をゲートウェイ１００に出力する。ゲートウェイ１００は、この画像情報を、例えばＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ）規格の仕様（以下、ＤＩＣＯＭ仕様と称する）にフォーマット変換した後に、ＬＡＮ１６０上に出力する。なお、ＤＩＣＯＭ規格とは、米国放射線学会（ＡＣＲ）および北米電子機器工業界（ＮＥＭＡ）により開発された医用画像と通信に関するＮＥＭＡの標準規格である。
【００２２】
アンギオ装置１４０は、被検体の血管造影を行い、取得した画像情報をゲートウェイ１５０に出力する。ゲートウェイ１５０は、ゲートウェイ１００と同様に、ＤＩＣＯＭ仕様にフォーマット変換の後に、ＬＡＮ１６０上に画像情報を出力する。なお、図２では、Ｘ線ＣＴ装置１１０およびアンギオ装置１４０を例示したが、その他の画像撮影装置をゲートウェイを介してＬＡＮ１６０に接続することもできる。
【００２３】
イメージャ１３０は、ＬＡＮ１６０を介して取得した画像情報を、レーザによりプリント用紙上に画像形成し、画像情報のハードコピーを作成する。この際、イメージャ１３０は、ＤＩＣＯＭ仕様上でのページごとに、ネガあるいはポジ状態で、プリント用紙への出力を行う。なお、各ページは、単数あるいは複数の画像情報からなり、複数の画像情報を含む際のページ内での配列等は、ゲートウェイ１００からＤＩＣＯＭ仕様で出力される際に指定される。
【００２４】
なお、イメージャ１３０は、ＤＩＣＯＭ仕様の入力部を備えていないので、ＤＩＣＯＭ仕様の画像情報は、ゲートウェイ１２０を介してを入力される。ゲートウェイ１２０においては、画像情報を、イメージャ１３０の画像形成に必要なフォーマットに変換の後に、イメージャ１３０側に出力する。また、イメージャ１３０が、ＤＩＣＯＭ仕様の入力部を備える際には、ゲートウェイ１２０を省くことができる。
【００２５】
端末１７０は、ＣＲＴ等の画像表示装置を有し、ＬＡＮ１６０を介して取得した画像情報を、画面上に表示するビューワの役割を有する。
【００２６】
ＬＡＮ１６０は、医療施設内の通信ケーブルで、ＣＳＭＡ／ＣＤ方式等を用いて、画像装置、イメージャおよびビューワ間で画像情報の送受信を行う。
【００２７】
つづいて、図１にゲートウェイ１００の機能ブロック図を示す。ゲートウェイ１００は、入出力部２０２、属性情報部２１０、画像情報部２２０、ガンマ補正部２７０、フォーマット変換部２８０を含む。ゲートウェイ１００は、属性情報および画像情報を、Ｘ線ＣＴ装置１１０から取得する。属性情報は、例えば、Ｘ線ＣＴ装置１１０に接続されるＲＳ２３２Ｃ等のシリアルインターフェイスによる取得手段により取得され、属性情報部２１０に格納される。また画像情報は、例えば、セントロニクス等のパラレルインターフェイスによる取得手段により取得され画像情報部２２０に格納される。
【００２８】
画像情報部２２０に格納される画像情報は、画像撮影装置および撮影条件により異なるが、８〜１２ビット程度の濃淡階調情報で、概ね３２０×３２０程度の画素数を有する。属性情報部２１０は、画像情報の属性情報、例えば、撮影条件、画素マトリックスの大きさ、ネガあるいはポジ情報あるいは被検体のＩＤ等の被検体情報を含む。なお、複数の画像情報を１つのページにプリント出力する際には、その配列情報および各画像情報ごとのネガあるいはポジ情報も、属性情報に含まれる。ここで、ネガあるいはポジ情報とは、画像情報がネガあるいはポジ状態のいずれにあるかを判別するもので、少なくとも１ビットの情報を含み、両状態を区別しうるものである。
【００２９】
入出力部２０２は、ゲートウェイ１００の動作設定を行うキーボード、液晶等のタッチパネルおよび表示装置を含み、出力先のイメージャの選択あるいは、Ｘ線ＣＴ装置１１０およびＬＡＮ１６０と接続する際の各種設定等が行われる。
【００３０】
ガンマ補正部２７０は、属性情報に基づいて、画像情報にガンマ補正を行い、フォーマット変換部２８０に、補正した画像情報を出力する。フォーマット変換部２８０は、補正された画像情報およびこの画像情報の属性情報から、ＤＩＣＯＭ仕様の画像情報およびヘッダー情報への変換を行う。
【００３１】
ガンマ補正部２７０は、切換手段２３０、補正曲線部２５０、補正手段２４０および補正画像情報部２６０を含む。補正曲線部２５０は、ＬＡＮ１６０に接続されている、イメージャあるいはビューワごとのガンマ補正曲線情報を、ＬＵＴ（Ｌｏｏｋ  Ｕｐ  Ｔａｂｌｅ）の形式で有する。なお、本実施の形態では、画像情報がポジの場合の補正曲線情報のみが保存される。
【００３２】
図４（Ａ）にＬＵＴに保存される補正曲線情報の例を示す。図４（Ａ）は、ポジの画像情報の際のガンマ補正曲線である。横軸は、入力画素値、縦軸は、出力画素値を現している。この補正曲線は、イメージャあるいはビューワで、プリント出力あるいは画面表示する際の、入力信号強度と出力プリントの濃淡あるいは表示画面の輝度の関係を示したものである。画像情報の各画素ごとに、図４（Ａ）の補正曲線に基づいて画素値の変換が行われる。
【００３３】
切換手段２３０は、算出手段を有する。切換手段２３０は、属性情報部２１０から、出力先のイメージャ情報、並びに、ネガあるいはポジ情報を取得する。そして、これらの属性情報に基づいて、補正曲線部２５０からガンマ補正曲線を選択し、算出手段により適正なガンマ補正曲線とした後に、補正手段２４０に出力する。
【００３４】
図４（Ｂ）に、画像情報がネガの場合に、図４（Ａ）の補正曲線から算出手段により算出される補正曲線の例を示す。ポジおよびネガの画素値は、画素値の最大値および最小値の間で反転が行われるので、ポジおよびネガの補正曲線は、図４（Ａ）および（Ｂ）に点線で示した直線、すなわち入力画素値および出力画素値が等しくなる直線に関して対称な形状となる。言い換えれば、算出手段は、図４（Ａ）から、入力画素値および出力画素値パラメータを入れ替えることにより、図４（Ｂ）の補正曲線を算出する。
【００３５】
補正手段２４０は、画像情報部２２０からの画像情報および切換手段２３０からのガンマ補正の補正曲線情報に基づいて、画像情報にガンマ補正を行う。ここでは、画像情報の各画素ごとに、画素値のガンマ補正を行う。補正画像情報部２６０は、補正手段２４０で生成される、ガンマ補正された画像情報を保存する。
【００３６】
フォーマット変換部２８０は、属性情報部２１０の属性情報および補正画像情報部２６０のガンマ補正された画像情報を、ＤＩＣＯＭ仕様の属性情報および画像情報に変換を行う。その後、フォーマット変換された画像情報は、ＬＡＮ１６０上に出力され、目的とするイメージャあるいはビューワにプリント出力あるいは表示される。
【００３７】
次に、ゲートウェイ１００の動作について、図３のフローチャートを用いて説明する。図３は、ゲートウェイ１００のガンマ補正を中心としたフローチャートである。まず、ゲートウェイ１００は、Ｘ線ＣＴ装置１１０から画像情報およびこの画像情報の属性情報を取得し（ステップＳ３０１）、画像情報部２２０および属性情報部２１０に保存する。
【００３８】
その後、ガンマ補正部２７０は、画像情報を出力するイメージャあるいはビューワ情報を、属性情報部２１０から取得し、この情報に基づいて、補正曲線部２５０のＬＵＴから、対応する補正曲線情報を選択する（ステップＳ３０２）。
【００３９】
その後、ガンマ補正部２７０は、出力する画像情報のネガあるいはポジの情報を取得し、ネガかどうかを判定する（ステップＳ３０３）。出力する画像情報がネガの場合には（ステップＳ３０３肯定）、ステップＳ３０２で選択された補正曲線を算出手段により反転する（ステップＳ３０４）。そして、この反転された補正曲線を、補正手段２４０に送信して、出力する画像情報のガンマ補正を行う（ステップＳ２４０）。また、出力する画像情報がポジの場合には（ステップＳ３０３否定）、ステップＳ３０４の反転を行わず、図４（Ａ）に示された様なポジの補正曲線を用いて、ステップＳ３０５のガンマ補正を行う。
【００４０】
その後、ガンマ補正部２７０は、ガンマ補正が行われた画像情報を補正画像情報部２６０に保存する。そして、逐次フォーマット変換部２８０に送信する。フォーマット変換部２８０は、属性情報部２１０からの属性情報および補正画像情報部２６０の補正画像情報をＤＩＣＯＭ仕様のヘッダー情報および画像情報に変換する（ステップＳ３０６）。
【００４１】
その後、ＤＩＣＯＭ仕様の画像情報をＬＡＮ１６０上に出力する（ステップＳ３０７）。この画像情報は、イメージャ１３０に出力する際には、ゲートウェイ１２０に捕捉されて、ＤＩＣＯＭ仕様からイメージャ１３０への出力仕様に変換された後に、プリント出力される。
【００４２】
その後、Ｘ線ＣＴ装置１１０の新たな画像情報を、プリント出力あるいはビューワ表示する場合には（ステップＳ３０８肯定）、ステップＳ３０１に移行し、Ｘ線ＣＴ装置１１０から、新たな画像情報およびこの属性情報の取得を行う。また、出力する画像情報が存在しない場合には（ステップＳ３０８否定）、本処理を終了する。
【００４３】
上述してきたように、本実施の形態では、ゲートウェイ１００は、Ｘ線ＣＴ装置１１０から画像情報とともにこの画像情報のネガあるいポジの属性情報を取得し、切換手段２３０において、ネガあるいはポジに応じて、ネガの場合には、ＬＵＴの補正曲線を算出手段により反転してからガンマ補正を行い、ポジの場合には、ＬＵＴの補正曲線をそのまま用いてガンマ補正することとしているので、イメージャ１３０で出力される画像情報が、ネガあるいはポジのどちらの場合でも常に適正な補正曲線とすることを、少ない記憶容量の補正曲線部２５０により、実行することができ、ひいては、イメージャ１３０側で出力画像情報のネガあるいはポジの反転を行う際にも、適正な補正曲線とすることができる。
【００４４】
また、本実施の形態では、補正曲線部２５０には、ポジのガンマ補正曲線が保存されることとしたが、ネガのガンマ補正曲線のみを保存し、この補正曲線を反転してポジの補正曲線を生成することもできる。
【００４５】
また、本実施の形態では、Ｘ線ＣＴ装置１１０等の画像撮影装置からの画像情報に対してガンマ補正を行うこととしたが、ビデオ信号等の動画情報に対しても同様にガンマ補正を行うこともできる。この場合には、ゲートウェイ１００は、ビデオ信号等の入力部を有し、切換手段２３０においてコマごとにネガあるいはポジの判定を行い、ガンマ補正を行う。これにより、コマごとに適正なガンマ補正がなされたネガあるいはポジの補正画像情報が生成され、複数コマが混在する画像情報出力においても、適正なガンマ補正を行うことができる。
【００４６】
【発明の効果】
以上説明したように、請求項１に記載の発明によれば、取得手段により、医用画像装置から画像情報のネガあるいはポジ情報を取得し、このネガあるいはポジ情報に基づいて、切換手段により、ガンマ補正の補正曲線を切り替えることとしているので、医用画像情報のネガあるいはポジの状態に応じて、オペレータを介さず、ネガあるいはポジの最適な補正曲線をとすることができ、ひいては、イメージャ側でネガあるいはポジの出力切り替えを行っても適正な補正曲線とすることができる。
【００４７】
請求項２に記載の発明によれば、複数の画像情報をイメージャの１つのページに出力する際に、取得手段により、画像情報ごとの前記ネガあるいはポジ情報を取得することとしているので、画像情報ごとのネガあるいはポジの状態に応じて補正曲線を異なるものとすることができる。
【００４８】
請求項３に記載の発明によれば、複数の画像情報をイメージャの１つのページに出力する際に、切換手段により、画像情報ごとにネガあるいはポジ情報に基づいた切り替えを行うこととしているので、画像情報のネガあるいはポジの状態に応じて最適な補正曲線とすることができる。
【００４９】
請求項４に記載の発明によれば、切換手段は、補正曲線情報が、ネガあるいはポジ情報に対応する１つの補正曲線のみの際に、算出手段により、ネガあるいはポジ情報に対応するポジあるいはネガ情報の補正曲線を算出することとしているので、１つの補正曲線を保持するだけで、ネガあるいはポジの両状態で画像情報に最適なガンマ補正を行うことができ、ひいては、補正曲線情報を少なくして記憶領域を小さなものとすることができる。
【００５０】
請求項５に記載の発明によれば、医用画像ゲートウェイ装置のコンピュータを、取得手段により、医用画像装置から転送される画像情報のネガあるいはポジ情報を取得し、前記ネガあるいはポジ情報に基づいて前記画像情報のガンマ補正を行う際に、切替手段により、前記ガンマ補正の補正曲線を切り替えることとしているので、医用画像情報のネガあるいはポジの状態に応じて、オペレータを介さず、ネガあるいはポジに最適な補正曲線とすることができ、ひいてはイメージャ側でネガあるいはポジの出力切り替えを行っても適正な補正曲線とすることが出来る。
【図面の簡単な説明】
【図１】医用画像用のゲートウェイを示す機能ブロック図である。
【図２】実施の形態にかかるゲートウェイのシステム構成を示す図である。
【図３】ゲートウェイのガンマ補正動作を示すフローチャートである。
【図４】ポジおよびネガの場合のガンマ補正曲線を示す図である。
【符号の説明】
１００、１２０、１５０  ゲートウェイ
１１０  Ｘ線ＣＴ装置
１３０  イメージャ
１４０  アンギオ装置
１７０  端末
２０２  入出力部
２１０  属性情報部
２２０  画像情報部
２３０  切換手段
２４０  補正手段
２５０  補正曲線部
２６０  補正画像情報部
２７０  ガンマ補正部
２８０  フォーマット変換部
【図１】
2004180968.tif 000003
【図２】
2004180968.tif 000004
【図３】
2004180968.tif 000005
【図４】
2004180968.tif 000006